(57)【要約】【課題】ＣＣＤ素子を含む基板を容易に交換できる構造とすることで、カメラユニットの損傷していない部品を再利用し、放射性廃棄物を削減する。【解決手段】ＣＣＤ部γ線遮蔽構造２１は、ＣＣＤモジュール２８を格納する有底筒状の内筒２６と、内筒２６に固定される内筒ふた２４と、内筒２６の外周面に摺動自在に外挿される筒状の外筒２５と、外筒２５の内筒ふた２４側に固定されてレンズマウントとなる外筒ふた２３とからなる。これら各部をγ線遮蔽材で形成し、外筒ふた２３と内筒ふた２４はレンズ７の光軸上に開口部２３ａ，２４ａを設ける。更に、内筒２６の底部外側には、外筒２５に対して内筒２６を摺動させて、ＣＣＤモジュール２８の位置を移動させるためのフランジバック調整ネジ３８、スプリング４２等を取り付ける。【選択図】図４
2011018967.tif 000002
【特許請求の範囲】
【請求項１】
ＣＣＤ部を内部に格納してγ線から遮蔽するＣＣＤ部γ線遮蔽構造を備える耐放射線カメラであって、
前記ＣＣＤ部γ線遮蔽構造は、
γ線遮蔽材で構成され、前記ＣＣＤ部を格納する有底筒状の内筒と、
γ線遮蔽材で構成され、前記内筒に固定される内筒ふたと、
γ線遮蔽材で構成され、前記内筒の外周面に摺動自在に外挿される筒状の外筒と、
γ線遮蔽材で構成され、前記外筒の前記内筒ふた側に固定されてレンズマウントとなる外筒ふたと、
前記内筒ふた及び前記外筒ふたそれぞれの、レンズの光軸上に形成された開口部とを有し、
前記内筒の底部外側には、前記外筒に対して前記内筒を摺動させて、前記ＣＣＤ部の位置を移動させるフランジバック調整部を有することを特徴とする耐放射線カメラ。
【請求項２】
ＣＣＤ部γ線遮蔽構造の内筒に格納されるＣＣＤ部は、
ＣＣＤ素子を搭載したＣＣＤ基板と、
前記ＣＣＤ基板の内筒ふた側を向く面に取り付けられる光学フィルタと、
前記ＣＣＤ基板の前記内筒ふた側を向く面とは反対の面に接着され、前記ＣＣＤ基板から電源を供給される電子冷却素子と、
前記電子冷却素子に接着されて、前記電子冷却素子の熱を伝達するための放熱ブロックとを有し、
前記ＣＣＤ部γ線遮蔽構造は、
前記内筒の底部内側に固着され、前記放熱ブロックに密着する熱伝導シートを有することを特徴とする請求項１記載の耐放射線カメラ。
【請求項３】
フランジバック調整部は、ＣＣＤ部γ線遮蔽構造を取り付けるプレートと内筒の底部外側との間に挿入され、当該内筒を外筒ふた側に付勢するスプリングと、
一端部が前記内筒の底部にネジ勘合し、他端部が回転することにより前記内筒を外筒内で摺動させるフランジバック調整ネジとを有することを特徴とする請求項１または請求項２記載の耐放射線カメラ。
【請求項４】
内筒と外筒の摺動面には、熱伝導性物質が塗布されることを特徴とする請求項１から請求項３のうちのいずれか１項記載の耐放射線カメラ。
【請求項５】
放熱ブロックの熱伝導シート側に穴部を設けて付勢部材を挿入し、
前記付勢部材は、前記放熱ブロックごとＣＣＤ部を内筒ふた側に付勢することを特徴とする請求項１から請求項４のうちのいずれか１項記載の耐放射線カメラ。
【発明の詳細な説明】
【技術分野】
【０００１】
この発明は、γ線、中性子等の放射線環境下で使用される耐放射線カメラに関するものである。
【背景技術】
【０００２】
図９は、特許文献１に記載された、従来の耐放射線カメラの構造を示す分解斜視図である。図９に示す耐放射線カメラ１００は、前面カバー１０１と、レンズケース１０２と、カバー側キャッチクリップ１０３と、本体ケース１０４と、本体側キャッチクリップ１０５と、レンズ１０６と、カメラ部１０７と、取っ手１１０と、後面カバー１１１とを備える。レンズ１０６、カメラ部１０７及び後面カバー１１１を含むカメラユニットは、本体側キャッチクリップ１０５をキャッチクリップ受け１０５ａから外し、取っ手１１０をもって本体ケース１０４から引き出すことで、容易に交換することができる。
【０００３】
図１０は、図９に示す耐放射線カメラ１００の内部構造を示す断面図である。図９では前面カバー側中性子遮蔽材１０１ａしか図示されていないが、前面カバー１０１、レンズケース１０２及び本体ケース１０４からなるケース内側には、図１０に示すようなレンズケース側中性子遮蔽材１０２ａ，１０２ｃ、本体ケース側中性子遮蔽材１０４ａ，１０４ｃ、カメラ側中性子遮蔽材１０７ａ、カメラ側γ線遮蔽材１２０ａ，１２０ｂ、本体ケース側γ線遮蔽材１２１ａ，１２１ｂ等が取り付けられている。そして、ケース内にカメラユニットを収めた状態では、ＣＣＤ１３０が搭載されたＣＣＤ基板１３１は全周を中性子遮蔽材に囲まれ、電子部品が搭載されたカメラ基板１３３は全周をγ線遮蔽材に囲まれた状態となる。
【０００４】
このような耐放射線カメラは、主に原子力発電所内の放射線環境下で監視を行うために用いられるものであり、近年、耐放射線カメラの更なる長寿命化及び放射性廃棄物の量の低減が求められている。そこで、従来から行われているＣＣＤの中性子遮蔽に加え、近年では後述するようなＣＣＤのγ線遮蔽が行われている。
【０００５】
ここで、ＣＣＤのγ線遮蔽構造を設けた、従来のカメラユニットの例を図１１〜図１３に示す。図１１は、カメラユニット全体を示す外観斜視図、図１２はＣＣＤ２０６のγ線遮蔽構造部の断面図、図１３はＣＣＤ２０６をカメラユニットから取り外す作業を示す分解斜視図である。なお、図１１〜図１３に示すカメラユニットでは、ＣＣＤに電子冷却素子を取り付けて冷却することにより、画質を改善するようにしている。
【０００６】
図１２において、レンズ２０１の後段には、タングステン合金等のγ線遮蔽材２０３，２０４，２０５で囲まれた空間が設けられ、この空間内に、ＣＣＤ２０６、ＣＣＤ基板２０７、ＣＣＤ基板２０７から電源を供給される電子冷却素子２０８、電子冷却素子２０８の熱を外へ伝える放熱ブロック２０９、この放熱ブロック２０９とγ線遮蔽材２０５とを接触させる熱伝導シート２１０が格納されている。γ線遮蔽材２０３，２０４の間、及びγ線遮蔽材２０４，２０５の間には、固化せずに流動性を保ちつつ、熱伝導性のよい物質、例えばシリコーン製のサーマルコンパウンド２１４が塗布されている。γ線遮蔽材２０３の後段には、カメラ部２０２が設けられている。
ＣＣＤ２０６の周囲は、前方（即ちレンズ２０１側）を除いて、γ線遮蔽材２０３，２０４，２０５で覆われている。また、電子冷却素子２０８で発生する熱は、放熱ブロック２０９、熱伝導シート２１０、γ線遮蔽材２０５，２０４，２０３を経由して外部へ放熱される。
【０００７】
また、フランジバック調整のために、γ線遮蔽材２０４とネジ勘合するフランジバック調整ネジ２１１、このフランジバック調整ネジ２１１を回転させるノブ２１２、γ線遮蔽材２０５を前方に押し出すためのスプリング２１３が設けられている。作業者がノブ２１２を指で回転させることによりフランジバック調整ネジ２１１が回転して、γ線遮蔽材２０４，２０５が前後に移動する。この際、γ線遮蔽材２０４，２０５に収納されたＣＣＤ２０６も前後に移動することで、フランジバック調整を行うことができる。
【０００８】
なお、図１２に例示しているカメラユニットも、特許文献１に記載された従来の耐放射線カメラと同じく、ケースとカメラユニットとを容易に分離できる構造となっており、耐放射線カメラを構成する電子部品が放射線により損傷を受けた場合、カメラユニットを交換することで、容易に機能を回復することができる。
ただし、カメラユニットには、耐放射線性能を向上させるためのγ線遮蔽材及び中性子遮蔽材、これらの部品を保持するためのフレーム、信号及び電源入出力のためのコネクタ及びケーブルが含まれているが、実際に放射線により損傷を受ける部分はその中の一部の電子部品に限られ、その中でも特にＣＣＤはγ線及び中性子線により損傷を受けやすい。従って、放射性廃棄物の量を削減する観点からすれば、カメラユニットごと交換するのではなく、カメラユニットを分解してその中のＣＣＤのみ交換し、他の部品は再利用することが好ましい。そこで、図１１及び図１２に示すカメラユニットは、ＣＣＤ２０６を搭載したＣＣＤ基板２０７を交換することができる構造となっている。
【０００９】
カメラユニットを分解して、ＣＣＤ２０６及びＣＣＤ基板２０７を交換する場合の作業を、図１３を用いて説明する。図１３に示すようにカメラユニットからレンズ２０１を外した状態で、ネジ２１７を外してγ線遮蔽材２０３をカメラ部２０２に保持している板金２２０を取り外す。続いて、ネジ２１８を外して板金２２０からγ線遮蔽材２０３を取り外す。続いて、γ線遮蔽材２０４から、スプリング２１３、ノブ２１２、栓２１５を取り外し、更にネジ２１６を外してγ線遮蔽材２０５を取り外す。このとき、ＣＣＤ２０６が冷却構造を有しているため、γ線遮蔽材２０４，２０５の間にはサーマルコンパウンド２１４が塗布されて張り付いており、これも引き剥がす。続いて、ＣＣＤ基板２０７をγ線遮蔽材２０４から取り出し、フラットケーブル２１９をＣＣＤ基板２０７から取り外せば、ＣＣＤ基板２０７を取り出すことができる。取り外したＣＣＤ基板２０７に代えて新しいＣＣＤ基板を用意して、上述の分解と逆の手順でカメラユニットを組み立てる。
【先行技術文献】
【特許文献】
【００１０】
【特許文献１】特開２０００−３２１３９４号公報
【発明の概要】
【発明が解決しようとする課題】
【００１１】
従来の耐放射線カメラは以上のように構成されているので、特許文献１のような構造例ではカメラユニット全体を交換するので、再生利用可能な部品も含めてカメラユニットごと放射性廃棄物となってしまうという課題があった。
また、図１３の構造例では、ＣＣＤ基板２０７を交換するためにカメラユニットの前側を略完全に分解する必要があり、手間がかかってしまう。そのため、ＣＣＤ基板２０７が損傷を受けた場合でも部品交換を行わず、カメラユニット全体を廃棄して新たなカメラユニットに交換していた。このため、再利用可能な部品もカメラユニットごと放射性廃棄物になってしまう問題は解消されない。
【００１２】
この発明は、上記のような課題を解決するためになされたもので、ＣＣＤ素子を含む基板を容易に交換できる構造とすることで、カメラユニットの損傷していない部品を再利用し、放射性廃棄物を削減することを目的とする。
【課題を解決するための手段】
【００１３】
この発明に係る耐放射線カメラは、ＣＣＤ部γ線遮蔽構造を、γ線遮蔽材で構成され、ＣＣＤ部を格納する有底筒状の内筒と、γ線遮蔽材で構成され、内筒に固定される内筒ふたと、γ線遮蔽材で構成され、内筒の外周面に摺動自在に外挿される筒状の外筒と、γ線遮蔽材で構成され、外筒の内筒ふた側に固定されてレンズマウントとなる外筒ふたと、内筒ふた及び外筒ふたそれぞれの、レンズの光軸上に形成された開口部とを有し、内筒の底部外側には、外筒に対して内筒を摺動させて、ＣＣＤ部の位置を移動させるフランジバック調整部を有するようにしたものである。
【発明の効果】
【００１４】
この発明によれば、ＣＣＤ部をγ線から遮蔽するＣＣＤ部γ線遮蔽構造を、有底筒状の内筒、内筒ふた、内筒の外周面に摺動自在に外挿される筒状の外筒、レンズマウントとなる外筒ふたから構成し、フランジバック調整部を内筒の底部外側に設けるようにしたので、外筒ふた及び内筒ふたを取り外せば、内筒の内部に格納されたＣＣＤ部を容易に交換することができる。この結果、耐放射線カメラを構成する部品のうち、γ線により損傷したＣＣＤ部以外の損傷していない部品が再利用可能となり、放射性廃棄物を削減することができる。
【図面の簡単な説明】
【００１５】
【図１】この発明の実施の形態１に係る耐放射線カメラを示し、図１（ａ）は側面図、図１（ｂ）は正面図、図１（ｃ）は後面図である。
【図２】図１に示す耐放射線カメラの分解斜視図である。
【図３】図１に示す耐放射線カメラを、図１（ｂ）のＡＡ線に沿って切断した断面図である。
【図４】図３に示す耐放射線カメラの断面図のうち、ＣＣＤ部γ線遮蔽構造２１を拡大した断面図である。
【図５】実施の形態１に係るＣＣＤモジュール２８の分解斜視図である。
【図６】実施の形態１に係るＣＣＤ部γ線遮蔽構造２１の分解斜視図である。
【図７】実施の形態１に係るＣＣＤモジュール２８の分解途中の状態を示す斜視図である。
【図８】この発明の実施の形態２に係る耐放射線カメラを図１（ｂ）のＡＡ線に相当する位置で切断し、そのうちのＣＣＤ部γ線遮蔽構造２１を拡大した断面図である。
【図９】特許文献１に記載された、従来の耐放射線カメラの構造を示す分解斜視図である。
【図１０】図９に示す耐放射線カメラの内部構造を示す断面図である。
【図１１】従来のカメラユニット全体を示す外観斜視図である。
【図１２】図１１に示すカメラユニットのＣＣＤγ線遮蔽構造部を示す断面図である。
【図１３】図１１に示すカメラユニットからＣＣＤを取り外す作業を示す分解斜視図である。
【発明を実施するための形態】
【００１６】
実施の形態１．
図１は、この発明の実施の形態１に係る耐放射線カメラを示し、図１（ａ）は側面図、図１（ｂ）は正面図、図１（ｃ）は後面図である。図２は、図１に示す耐放射線カメラの分解斜視図である。図３は、耐放射線カメラを図１（ｂ）のＡＡ線に沿って切断した断面図であり、そのうちのＣＣＤ部γ線遮蔽構造２１を拡大した断面図を図４に示す。また、ＣＣＤモジュール（ＣＣＤ部）２８の分解斜視図を図５に示し、ＣＣＤ部γ線遮蔽構造２１の分解斜視図を図６に示す。
【００１７】
先ず、本実施の形態１に係る耐放射線カメラの構成を説明する。
図１及び図２に示すように、本実施の形態１の耐放射線カメラは、前面カバー１と、レンズケース２と、前面カバー側キャッチクリップ３と、本体ケース４と、本体側キャッチクリップ５と、カメラ側キャッチクリップ６と、カメラユニットを備える。カメラユニットは、レンズ７と、ＣＣＤ部γ線遮蔽構造２１と、カメラ部８と、取っ手９とからなる。先立って説明した従来の耐放射線カメラと同様に、このカメラユニットも、カメラ側キャッチクリップ６をキャッチクリップ受け６ａから外し、取っ手９をもって本体ケース４から引き出すことで、容易に取り外すことができる。
【００１８】
図３に示すように、前面カバー１には前面カバー側中性子遮蔽材１０が取り付けられている。また、レンズケース２にはレンズケース側中性子遮蔽材１１，１２が取り付けられている。また、本体ケース４には本体ケース側中性子遮蔽材１３，１４、本体ケース側γ線遮蔽材１８，１９が取り付けられている。
また、カメラ部８の内部にはカメラ側中性子遮蔽材１５、カメラ基板部γ線遮蔽材１６，１７が取り付けられている。また、ＣＣＤ（ＣＣＤ素子）２２を含むＣＣＤモジュール２８は、ＣＣＤ部γ線遮蔽構造２１の内部に格納されている。
従って、前面カバー１、レンズケース２及び本体ケース４からなるケース内に、カメラユニットを収めた状態では、ＣＣＤ２２は全周を中性子遮蔽材及びγ線遮蔽材に囲まれ、カメラ基板２０はγ線遮蔽材に囲まれた状態となる。
【００１９】
図４に示すように、ＣＣＤ２２を含むＣＣＤモジュール２８は、ＣＣＤ部γ線遮蔽構造２１の内部に格納されている。このＣＣＤ部γ線遮蔽構造２１は、ＣＣＤモジュール２８を格納する有底筒状の内筒２６とその内筒ふた２４、内筒２６の外周面に摺動自在に外挿された外筒２５とその外筒ふた２３とで構成される。これら外筒ふた２３、内筒ふた２４、外筒２５、及び内筒２６はタングステン合金等のγ線遮蔽材からなる。また、外筒２５と内筒２６の間には、グリス又はシリコーン製サーマルコンパウンド等の、固化せずに流動性を保ちつつ、熱伝導性の良い熱伝導性物質が塗布されている。ここでは、熱伝導性物質としてサーマルコンパウンド２７が塗布されているものとする。なお、外筒ふた２３がレンズマウントを兼ねている。
ＣＣＤモジュール２８とカメラ基板２０（図２に示す）とはフラットケーブル２９によって電気的に接続されており、このフラットケーブル２９はゴム等の弾性体を素材とする栓３０によって保持されている。また、ＣＣＤモジュール２８と内筒２６の底面との間には、シリコーン等を素材とする熱伝導シート３７が敷かれている。
【００２０】
図５に示すように、ＣＣＤモジュール２８は、光学フィルタ３１、この光学フィルタ３１を支持する光学フィルタ用ホルダ３２、ＣＣＤ２２、光学フィルタ用ホルダ３２とのピン−穴勘合によりＣＣＤ２２の位置決めを行って接着固定するＣＣＤ用ホルダ３３、ＣＣＤ基板３４、ＣＣＤ２２を冷却する電子冷却素子３５、この電子冷却素子３５の熱を外部に伝える放熱ブロック３６とからなる。ＣＣＤ２２とＣＣＤ基板３４とが電気的に接続され、更に、このＣＣＤ基板３４のコネクタ３４ａと図４に示すフラットケーブル２９とが電気的に接続される。
なお、放熱ブロック３６は、銅等の熱伝導性の高い物質を素材とする。この放熱ブロック３６は、内筒２６の底面に敷かれた熱伝導シート３７上に設置される。そして、ＣＣＤ２２を冷却する電子冷却素子３５で発生する熱は、放熱ブロック３６、熱伝導シート３７、内筒２６及び外筒２５を経由して外部に伝達される。
【００２１】
図６に示すように、ＣＣＤ部γ線遮蔽構造２１の外筒ふた２３と外筒２５はネジ４３によって固定され、内筒ふた２４と内筒２６はネジ４４によって固定される。また、内筒２６及び内筒ふた２４を格納した外筒２５はネジ４５によってプレート４０に固定される。このプレート４０は、ＣＣＤ部γ線遮蔽構造２１をカメラ部８に結合するためのものであり、ＣＣＤ部γ線遮蔽構造２１が固定されたプレート４０をネジによってカメラ部８側に固定する。また、外筒ふた２３及び内筒ふた２４には、レンズ７の光軸上に、それぞれ開口部２３ａ，２４ａが形成されている。この内筒ふた２４の開口部２４ａには光学フィルタ３１が嵌合する。また、外筒ふた２３の開口部２３ａには、後述するフランジバック調整により前方（レンズ７側）に移動してきた内筒ふた２４の凸部が嵌入する。
【００２２】
また、図６に示すように、ＣＣＤ部γ線遮蔽構造２１には、フランジバック調整部として、一端部を内筒２６の底部にネジ勘合させ、他端部をプレート４０に貫通させるフランジバック調整ネジ３８、このフランジバック調整ネジ３８の他端部側を回転させるノブ３９、フランジバック調整ネジ３８の溝に嵌合してフランジバック調整ネジ３８とプレート４０を軸方向に結合するＥリング４１、内筒２６を前方に付勢するスプリング４２が設けられている。作業者がノブ３９を指で回転させることによりフランジバック調整ネジ３８が回転し、フランジバック調整ネジ３８とネジ勘合した内筒２６がスプリング４２に付勢された状態で前後に移動する。この際、内筒２６に収納されたＣＣＤ２２も前後に移動することで、フランジバック調整を行うことができる。なお、内筒２６と外筒２５の摺動面にはサーマルコンパウンド２７が塗布されているため、フランジバック調整時に内筒２６は滑らかに前後移動できる。
【００２３】
次に、耐放射線カメラのＣＣＤモジュール２８の交換作業を説明する。図７は、ＣＣＤモジュール２８の分解途中の状態を示す斜視図である。
先ず、本体ケース４からカメラユニットを取り出し、更に、カメラユニットからレンズ７を外した状態にする。この状態から、図７に示すように、ネジ４３を外して外筒２５から外筒ふた２３を取り外し、更に、ネジ４４を外して内筒２６から内筒ふた２４を取り外す。続いて、カメラ側中性子遮蔽材１５をカメラ部８から引き抜いて内筒２６底面を露出させて（図７では図示省略）、内筒２６底面側から栓３０を取り出し、内筒２６上面側にＣＣＤモジュール２８を引き出す。そして、フラットケーブル２９をＣＣＤ基板３４のコネクタ３４ａから取り外せば、ＣＣＤモジュール２８を取り出すことができる。
【００２４】
カメラユニットからＣＣＤモジュール２８を取り出し、新たなＣＣＤモジュールをフラットケーブル２９と接続し、このＣＣＤモジュールと内筒ふた２４とを嵌合させて内筒２６に押し込み、ネジ４４によって内筒２６と内筒ふた２４とを固定する。続いて、内筒２６の底面に、フラットケーブル２９の一端を通した栓３０を取り付けて、カメラ部８にカメラ側中性子遮蔽材１５を嵌め込めば、ＣＣＤモジュール２８から新たなＣＣＤモジュールへの交換作業が完了する。
【００２５】
なお、ＣＣＤモジュール２８の交換作業中に、外筒２５、内筒２６、プレート４０及びカメラ部８を分解する必要がない。従って、内筒２６とプレート４０の間に取り付けられたフランジバック調整ネジ３８、ノブ３９、Ｅリング４１、スプリング４２等を分解する必要もない。
【００２６】
以上より、実施の形態１によれば、ＣＣＤ部γ線遮蔽構造２１を、γ線遮蔽材で構成され、ＣＣＤモジュール２８を格納する有底筒状の内筒２６と、γ線遮蔽材で構成され、内筒２６に固定される内筒ふた２４と、γ線遮蔽材で構成され、内筒２６の外周面に摺動自在に外挿される筒状の外筒２５と、γ線遮蔽材で構成され、外筒２５の内筒ふた２４側に固定されてレンズマウントとなる外筒ふた２３と、内筒ふた２４及び外筒ふた２３それぞれの、レンズ７の光軸上に形成された開口部２４ａ，２３ａとから構成し、更に、内筒２６の底部外側には、外筒２５に対して内筒２６を摺動させて、ＣＣＤモジュール２８の位置を移動させるフランジバック調整部を有するように構成した。このため、レンズ７を取り外した状態で、外筒ふた２３及び内筒ふた２４を取り外せば、内筒２６の内部に格納されたＣＣＤモジュール２８を容易に交換することができる。この結果、耐放射線カメラを構成する部品のうち、γ線により損傷したＣＣＤモジュール２８以外の、損傷していない部品が再利用可能となり、放射性廃棄物を削減することができる。
【００２７】
また、ＣＣＤ部γ線遮蔽構造２１の内筒に格納されるＣＣＤモジュール２８を、ＣＣＤ２２を搭載したＣＣＤ基板３４と、ＣＣＤ基板３４の内筒ふた２４側を向く面に取り付けられる光学フィルタ３１と、ＣＣＤ基板３４の内筒ふた２４側を向く面とは反対の面に接着され、ＣＣＤ基板３４から電源を供給される電子冷却素子３５と、電子冷却素子３５に接着されて、電子冷却素子３５の熱を伝達するための放熱ブロック３６とから構成し、更に、ＣＣＤ部γ線遮蔽構造２１は、内筒２６の底部内側に固着され、放熱ブロック３６に密着する熱伝導シート３７を有するように構成した。このため、交換が必要なＣＣＤモジュール２８が冷却構造を有する場合でも、電子冷却素子３５の発熱を外部へ放熱するための放熱経路を放熱ブロック３６、熱伝導シート３７、内筒２６、外筒２５及びカメラ部８によって確保することができる。
【００２８】
また、フランジバック調整部を、ＣＣＤ部γ線遮蔽構造２１をカメラ部８側に取り付けるためのプレート４０と内筒２６の底部外側との間に挿入され、この内筒２６を外筒ふた２３側に付勢するスプリング４２と、一端部が内筒２６の底部にネジ勘合し、他端部がノブ３９と一体で回転することにより内筒２６を外筒２５内で摺動させるフランジバック調整ネジ３８とから構成した。このため、ＣＣＤ部γ線遮蔽構造２１にフランジバック調整のための部品を組み込んでフランジバック調整を行うことができる。また、ＣＣＤモジュール２８を交換する際に、内筒２６の底部外側に設けられたフランジバック調整のための部品を分解する必要がない。
【００２９】
また、内筒２６と外筒２５の摺動面には、熱伝導性物質としてサーマルコンパウンド２７を塗布するように構成した。このため、フランジバック調整の際に、外筒２５に対する内筒２６の摺動を滑らかにし、かつ、電子冷却素子３５の放熱経路として内筒２６から外筒２５へ熱を伝えることができる。
【００３０】
実施の形態２．
上記実施の形態１において、電子冷却素子３５で発生する熱を外部に伝達するためには、放熱経路上の電子冷却素子３５、放熱ブロック３６、熱伝導シート３７及び内筒２６を密着させて熱伝導率を向上させる必要があり、そのためには熱伝導シート３７を圧縮する必要がある。熱伝導シート３７を圧縮すると、この圧縮力と同じ大きさの力を電子冷却素子３５が反力として受ける。電子冷却素子３５が受ける圧縮力を低減するためには、熱伝導シート３７の硬度を下げるのが効果的だが、熱伝導シート３７の硬度を下げると、例えば光学フィルタ３１を前方から押されたときに熱伝導シート３７が圧縮されるとそのまま圧縮状態から復元しなくなり、ＣＣＤ２２の位置が後方に下がったままになってしまう場合がある。そこで、本実施の形態２の耐放射線カメラは、この問題を解決するために、上記実施の形態１の構成に改良を加えた構成にする。
【００３１】
図８は、この発明の実施の形態２に係る耐放射カメラを図１（ｂ）のＡＡ線に相当する位置で切断し、そのうちのＣＣＤ部γ線遮蔽構造２１を拡大した断面図である。なお、図８において図４と同一又は相当の部分については同一の符号を付し説明を省略する。
図８に示す実施の形態２のＣＣＤ部γ線遮蔽構造２１では、放熱ブロック３６の熱伝導シート３７対向面に穴部３６ａを形成し、かつ、熱伝導シート３７にも穴部を形成して、ここにスプリング（付勢部材）４６を挿入している。図８ではスプリング４６としてコイルスプリングを用いる。このスプリング４６が、放熱ブロック３６ごとＣＣＤモジュール２８を内筒ふた２４側に付勢するため、開口部２４ａに嵌合している光学フィルタ３１が前方から押された場合でも元の位置に押し戻され、結果としてＣＣＤ２２が正規の位置に保たれる。
なお、熱伝導シート３７が柔らかい場合には、スプリング４６が熱伝導シート３７に食い込んで内筒２６に接触するので、熱伝導シート３７に穴部を形成しなくてもよい。
【００３２】
以上より、実施の形態２によれば、放熱ブロック３６の熱伝導シート３７側に穴部３６ａを設けてスプリング４６を挿入し、このスプリング４６は、放熱ブロック３６ごとＣＣＤモジュール２８を内筒ふた２４側に付勢するように構成した。そのため、熱伝導シート３７が柔らかい材質であっても、スプリング４６がＣＣＤモジュール２８を内筒ふた２４側に付勢して光学フィルタ３１を内筒ふた２４の開口部２４ａに押し戻すため、ＣＣＤ２２を正規の位置に保持できる。
【符号の説明】
【００３３】
１  前面カバー、２  レンズケース、３  前面カバー側キャッチクリップ、４  本体ケース、５  本体側キャッチクリップ、６  カメラ側キャッチクリップ、６ａ  キャッチクリップ受け、７  レンズ、８  カメラ部、９  取っ手、１０  前面カバー側中性子遮蔽材、１１，１２  レンズケース側中性子遮蔽材、１３，１４  本体ケース側中性子遮蔽材、１５  カメラ側中性子遮蔽材、１６，１７  カメラ基板部γ線遮蔽材、１８，１９  本体ケース側γ線遮蔽材、２０  カメラ基板、２１  ＣＣＤ部γ線遮蔽構造、２２  ＣＣＤ（ＣＣＤ素子）、２３  外筒ふた、２３ａ，２４ａ  開口部、２４  内筒ふた、２５  外筒、２６  内筒、２７  サーマルコンパウンド（熱伝導性物質）、２８  ＣＣＤモジュール（ＣＣＤ部）、２９  フラットケーブル、３０  栓、３１  光学フィルタ、３２  光学フィルタ用ホルダ、３３  ＣＣＤ用ホルダ、３４  ＣＣＤ基板、３４ａ  コネクタ、３５  電子冷却素子、３６  放熱ブロック、３６ａ  穴部、３７  熱伝導シート、３８  フランジバック調整ネジ（フランジバック調整部）、３９  ノブ、４０  プレート、４１  Ｅリング、４２  スプリング（フランジバック調整部）、４３，４４，４５  ネジ、４６  スプリング（付勢部材）、１００  耐放射線カメラ、１０１  前面カバー、１０１ａ  前面カバー側中性子遮蔽材、１０２  レンズケース、１０２ａ，１０２ｃ  レンズケース側中性子遮蔽材、１０３  カバー側キャッチクリップ、１０４  本体ケース、１０４ａ，１０４ｃ  本体ケース側中性子遮蔽材、１０５  本体側キャッチクリップ、１０５ａ  キャッチクリップ受け、１０６  レンズ、１０７  カメラ部、１０７ａ  カメラ側中性子遮蔽材、１１０  取っ手、１１１  後面カバー、１２０ａ，１２０ｂ  カメラ側γ線遮蔽材、１２１ａ，１２１ｂ  本体ケース側γ線遮蔽材、１３０  ＣＣＤ、１３１  ＣＣＤ基板、１３３  カメラ基板、２０１  レンズ、２０２  カメラ部、２０３，２０４，２０５  γ線遮蔽材、２０６  ＣＣＤ、２０７  ＣＣＤ基板、２０８  電子冷却素子、２０９  放熱ブロック、２１０  熱伝導シート、２１１  フランジバック調整ネジ、２１２  ノブ、２１３  スプリング、２１４  サーマルコンパウンド、２１５  栓、２１６，２１７，２１８  ネジ、２１９  フラットケーブル、２２０  板金。
【図１】
2011018967.tif 000003
【図２】
2011018967.tif 000004
【図３】
2011018967.tif 000005
【図４】
2011018967.tif 000006
【図５】
2011018967.tif 000007
【図６】
2011018967.tif 000008
【図７】
2011018967.tif 000009
【図８】
2011018967.tif 000010
【図９】
2011018967.tif 000011
【図１０】
2011018967.tif 000012
【図１１】
2011018967.tif 000013
【図１２】
2011018967.tif 000014
【図１３】
2011018967.tif 000015